(57)【特許請求の範囲】
【請求項１】
フラットベット読取部の、主走査方向に複数の原稿幅検出センサを配置し、副走査方向に少なくとも１つの原稿長さ検出センサを配置して、該読取部上に載置された原稿を、該原稿幅検出センサと該原稿長さ検出センサとで検出し、原稿サイズを特定する原稿読取装置において、
前記原稿幅検出センサと前記原稿長さ検出センサとによる検出結果から原稿サイズを特定できない場合に、可能性の高い原稿サイズを推定する推定手段と、
推定した原稿サイズの確認表示を表示する表示部と、
前記表示部の表示事項を選択設定する表示対応キーと、
前記表示対応キーにより前記確認表示が正しいと入力されると前記推定した原稿サイズを読取り原稿サイズに決定する手段と、
前記表示対応キーにより前記確認表示が正しくないと入力されると前記表示部の画面を原稿サイズ選択画面に切り替える手段と、
前記表示対応キーにより選択された原稿サイズを読取り原稿サイズに決定する手段と、
を備えたことを特徴する原稿読取装置。
【請求項２】
前記推定手段は、前記原稿幅検出センサのＯＮ／ＯＦＦと、前記原稿長さ検出センサのＯＮ／ＯＦＦとの組み合わせから成るテーブルを備え、ＯＮのセンサに対して原稿位置合わせ基準位置側の、ＯＦＦのセンサについてはＯＮと仮定して、原稿サイズを推定することを特徴とする請求項１に記載の原稿読取装置。
【発明の詳細な説明】
【０００１】
【発明の属する技術分野】
本発明は、フラットベット読取部の、主走査方向に複数の原稿幅検出センサを配置し、副走査方向に少なくとも１つの原稿長さ検出センサを配置して、該読取部上に載置された原稿を、該原稿幅検出センサと該原稿長さ検出センサとで検出し、原稿サイズを特定する原稿読取装置の技術に関する。
【０００２】
【従来の技術】
原稿読取装置を備えたコピー・ファクシミリ複合機等は、図３に示すように、プラテンガラス９下方のフラットベット読取部に、原稿幅検出センサ３４・３５・３６と、原稿長さ検出センサ３７とが配置されている。図中におけるプラテンガラス９の左上頂点部分の、原稿位置合わせ基準位置０から主走査方向に向けて、Ａ５原稿の短辺長さ離れた位置をＸ１、Ｂ５原稿の短辺長さ離れた位置をＸ２、Ａ４原稿の短辺長さ離れた位置をＸ３、Ｂ４原稿の短辺長さ離れた位置をＸ４とすると、第１原稿幅検出センサ３４は該位置Ｘ３と該位置Ｘ４との間に、第２原稿幅検出センサ３５は該位置Ｘ２と該位置Ｘ３との間に、第３原稿幅検出センサ３６は該位置Ｘ１と該位置Ｘ２との間に配置されている。
また、原稿位置合わせ基準位置０から副走査方向に向けて、Ｂ５原稿の短辺長さ離れた位置をＹ１、Ａ５原稿の長辺長さ離れた位置をＹ２とすると、原稿長さ検出センサ３７は該位置Ｙ１と該位置Ｙ２との間に配置されている。
【０００３】
例えば、図４に示すように、プラテンガラス９上に、定型原稿（Ａ５原稿）６１が横置きで載置されると、該定型原稿６１は、主走査方向の３つの原稿幅検出センサ３４・３５・３６の内、第２原稿幅検出センサ３５と、第３原稿幅検出センサ３６とによって検出される。すなわち、該第２原稿幅検出センサ３５と、該第３原稿幅検出センサ３６とがＯＮ状態となり、第１原稿幅検出センサ３４についてはＯＦＦの状態のままである。
【０００４】
この主走査方向の検出結果だけでは、縦置きのＡ４原稿か、横置きのＡ５原稿かが特定できないため、副走査方向に原稿長さ検出センサ３７が配置されている。該主走査方向の検出結果に加えて、該原稿長さ検出センサ３７によって、Ａ５原稿又はＢ５原稿が、横置きで載置されていないか検出され、この場合は、該原稿長さ検出センサ３７は定型原稿６１を検出せずにＯＦＦの状態のままである。この結果、読取部の制御回路では、プラテンガラス９上の定型原稿６１は、横置きのＡ５原稿と判定され、仮に、該原稿長さ検出センサ３７がＯＮ状態となっていれば、その定型原稿６２は、縦置きのＡ４原稿と判定される。
【０００５】
以上のように、原稿幅検出センサ３４・３５・３６による主走査方向の検出結果と、原稿長さ検出センサ３７による副走査方向の検出結果とに基づいて、定型原稿のサイズが判定されている。
【０００６】
【発明が解決しようとする課題】
ところで、時には、前記センサ３４・３５・３６・３７が誤作動することがあり、該センサ３４・３５・３６・３７が明らかに原稿を検出し得る状況にあるにも関わらず、原稿を検出し損ねることがあった。この場合は、操作部２の表示部２０に、原稿サイズの入力を促すメッセージが表示されて、ユーザーは手動操作で原稿サイズを選択設定しなければならなかった。
そこで、本発明では、このような状況における、ユーザーによる手動操作をなくして、操作性の向上を図った原稿読取装置を提供することを課題とする。
【０００７】
【課題を解決するための手段】
本発明の解決しようとする課題は以上の如くであり、次にこの課題を解決するための手段を説明する。
まず、請求項１に記載のように、フラットベット読取部の、主走査方向に複数の原稿幅検出センサを配置し、副走査方向に少なくとも１つの原稿長さ検出センサを配置して、該読取部上に載置された原稿を、該原稿幅検出センサと該原稿長さ検出センサとで検出し、原稿サイズを特定する原稿読取装置において、前記原稿幅検出センサと前記原稿長さ検出センサとによる検出結果から原稿サイズを特定できない場合に、可能性の高い原稿サイズを推定する推定手段と、推定した原稿サイズの確認表示を表示する表示部と、前記表示部の表示事項を選択設定する表示対応キーと、前記表示対応キーにより前記確認表示が正しいと入力されると前記推定した原稿サイズを読取り原稿サイズに決定する手段と、前記表示対応キーにより前記確認表示が正しくないと入力されると前記表示部の画面を原稿サイズ選択画面に切り替える手段と、前記表示対応キーにより選択された原稿サイズを読取り原稿サイズに決定する手段と、を備えた。
【０００８】
また、請求項２に記載のように、前記推定手段は、前記原稿幅検出センサのＯＮ／ＯＦＦと、前記原稿長さ検出センサのＯＮ／ＯＦＦとの組み合わせから成るテーブルを備え、ＯＮのセンサに対して原稿位置合わせ基準位置側の、ＯＦＦのセンサについてはＯＮと仮定して、原稿サイズを推定する。
【０００９】
【発明の実施の形態】
これより、本発明の一実施例について、原稿読取装置を備えたコピー・ファクシミリ複合機１を参照しながら説明する。
【００１０】
図１はコピー・ファクシミリ複合機１の全体斜視図であり、複合機１の本体は、複数の給紙カセット５１・５１・・・を備えた給紙部５上に載置固定されており、該本体内に、画像読取部３と、画像形成装置としての画像記録部４が上下に配置されている。本体上部には読取載置台６が形成され、該読取載置台６内部に画像読取部３が設けられている。読取載置台６からは手前方向に操作部２が延設されており、該操作部２上に、複合機１の動作状態等を表示する表示部２０や、コピー又はファックス動作を開始させるスタートキー２１等、各種操作キーが配置されている。読取載置台６の上面中央にはプラテンガラス９が敷設されており、該読取載置台６上にはプラテンカバー７が該プラテンガラス９に対して開閉自在に設けられて、該プラテンカバー７の一側部には自動原稿搬送装置（ＡＤＦ）８が付設されている。
【００１１】
前記画像読取部３は、プラテンガラス９上に載置された静止原稿６０等を、読取載置台６内に設けられた読取装置３１（図２参照）を走査させて読み取りを行うフラットベッドタイプのスキャナとして用いられるとともに、該読取装置３１を該読取載置台６内の一側部に位置固定して、原稿をＡＤＦ８に給送しながら読み取りを行うシートフィードタイプのスキャナとして用いられる。
【００１２】
図２は前記複合機１の制御構成を示すブロック図であり、複合機１の制御部には、制御手段であるＭＰＵ１１、ＲＯＭ１２、ＲＡＭ１３、画像読取部３、画像記録部４、操作部２、表示部２０、画像メモリ（ＤＲＡＭ）１５、ＣＯＤＥＣ（符号化・復号器）１６、ＭＯＤＥＭ１７、ＮＣＵ（ネットワーク制御回路）１８が備えられ、前記の各部がバス１９を介して、通信可能に接続されている。
【００１３】
ＭＰＵ１１は、操作部２への入力操作及び制御プログラム等に基づいて、複合機１の各部を制御する制御手段である。ＲＯＭ１２には、複合機１を制御する制御プログラム等が記憶されている。また、ＲＡＭ１３には、複合機１の制御状態等の各種情報が一時的に記憶される。
【００１４】
画像読取部３は、プラテンガラス９上に載置された写真、文書、図面等の原稿を光学的に読み取って、イメージデータである原稿画像を出力する。画像読取部３には、読取部制御回路３０、読取装置（光学系）３１、ＣＣＤ（撮像素子）３２が設けられている。
【００１５】
読取装置３１は、ミラーおよび光源等を備え、副走査方向に走行可能に構成されている。そして、読取装置３１で、プラテンガラス９上の写真、文書、図面等の原稿を光学的に走査（スキャン）して、その反射光や透過光をＣＣＤ３２に入力する。ＣＣＤ３２は入力された光学データを電子データに変換して、イメージデータである原稿画像を出力する。
【００１６】
読取部制御回路３０は、画像読取部３の各装置の制御手段である。画像読取部３は、例えば、原稿サイズに応じて、読取装置３１の主走査方向および副走査方向の走査幅（走行幅）を変更する。
【００１７】
また、画像読取部３は、主走査方向に配置された原稿幅検出センサ３４・３５・３６と、副走査方向に配置された原稿幅検出センサ３７とを備え、詳しくは後述するが、プラテンガラス９上に載置された原稿６０の原稿幅と、原稿長さとを検出することにより、該原稿６０のサイズを特定するように構成されている。
【００１８】
画像記録部４は、電子写真方式のプリンタで構成され、前記画像読取部３で出力された原稿画像や、ＭＯＤＥＭ１７を介して受信した受信画像を、記録紙上に記録（印刷）可能である。
【００１９】
操作部２には、複合機１を操作するための入力手段として、スタートキー２１や、表示対応キー２２・２３・２４等の各種操作キーが設けられている。表示部２０は、ＬＣＤ（液晶ディスプレイ）で構成されており、操作部２上に配置されて、複合機１の動作状態等の各種情報が表示され、該表示部２０の手前の表示対応キー２２・２３・２４で、表示事項を選択設定するように構成されている。
【００２０】
画像メモリ１５には、前記原稿画像や受信画像等のイメージデータが一時的に記憶される。ＣＯＤＥＣ（符号化・復号器）１６は符号化器として機能し、画像読取部３で読取られた原稿画像を、ＭＨ、ＭＲ、ＭＭＲ方式等により符号化（エンコード）する。また、ＣＯＤＥＣ１６は復号器としても機能し、前記符号化したイメージデータを、復号（デコード）する。ＭＯＤＥＭ１７は、ＩＴＵ（国際電気通信連合）勧告に従ったファクシミリ伝送制御手順に基づいて、送信データの変調および受信データの復調を行う。ＮＣＵ（ネットワーク制御回路）１８は、電話回線Ｌとの接続を制御するとともに、相手先の電話番号（ファックス番号を含む）に対応したダイアル信号の送出および着信を検出するための機能を備えている。
【００２１】
次に、プラテンガラス９上に載置された原稿６０のサイズ検出について説明する。
図３はプラテンガラス９の平面図であり、図中におけるプラテンガラス９の左上頂点部分が、原稿セット位置における原稿位置合わせ基準０となっている。該原稿位置合わせ基準０に、矩形の原稿６０の一頂点を合わせて、原稿６０がプラテンガラス９上にセットされる。
主走査方向の原稿幅の検出は、前記原稿幅検出センサ３４・３５・３６による検出結果に基づいて行われ、副走査方向の原稿長さの検出は、前記原稿長さ検出センサ３７による検出結果に基づいて行われる。
【００２２】
本実施例では、プラテンガラス９はＢ４原稿よりもやや大きく形成されて、該プラテンガラス９下方の画像読取部３には、主走査方向に向けて３つの原稿幅検出センサ３４・３５・３６が列置され、副走査方向に１つの原稿長さ検出センサ３７が配置されているが、該原稿幅検出センサ３４・３５・３６及び該原稿長さ検出センサ３７の配置数は限定するものではなく、プラテンガラス９上に載置可能な原稿サイズに応じて配置されるものとする。
【００２３】
ここで、原稿位置合わせ基準位置０から主走査方向に向けて、Ａ５原稿の短辺長さ離れた位置をＸ１、Ｂ５原稿の短辺長さ離れた位置をＸ２、Ａ４原稿の短辺長さ離れた位置をＸ３、Ｂ４原稿の短辺長さ離れた位置をＸ４とすると、第１原稿幅検出センサ３４は該位置Ｘ３と該位置Ｘ４との間に、第２原稿幅検出センサ３５は該位置Ｘ２と該位置Ｘ３との間に、第３原稿幅検出センサ３６は該位置Ｘ１と該位置Ｘ２との間に配置されている。
また、原稿位置合わせ基準位置０から副走査方向に向けて、Ｂ５原稿の短辺長さ離れた位置をＹ１、Ａ５原稿の長辺長さ離れた位置をＹ２とすると、原稿長さ検出センサ３７は該位置Ｙ１と該位置Ｙ２との間に配置されている。
【００２４】
通常、原稿６０は、プラテンガラス９上に、縦置き（副走査方向に縦長に配置）で載置されるが、Ａ５原稿とＢ５原稿については、横置き（主走査方向に縦長に配置）での載置も可能である。
【００２５】
次に、具体的な例を参照しながら、プラテンガラス９上に載置された定型原稿６１のサイズ検出について説明する。
例えば、図４に示すように、プラテンガラス９上に、定型原稿（Ａ５原稿）６１が横置きで載置されると、該定型原稿６１は、主走査方向の３つの原稿幅検出センサ３４・３５・３６の内、第２原稿幅検出センサ３５と、第３原稿幅検出センサ３６とによって検出される。すなわち、該第２原稿幅検出センサ３５と、該第３原稿幅検出センサ３６とがＯＮ状態となり、第１原稿幅検出センサ３４についてはＯＦＦの状態のままである。
【００２６】
この主走査方向の検出結果だけでは、縦置きのＡ４原稿か、横置きのＡ５原稿かが特定できないため、副走査方向に原稿長さ検出センサ３７が配置されている。該主走査方向の検出結果に加えて、該原稿長さ検出センサ３７によって、Ａ５原稿又はＢ５原稿が、横置きで載置されていないか検出され、この場合は、該原稿長さ検出センサ３７は定型原稿６１を検出せずにＯＦＦの状態のままである。この結果、前記読取部制御回路３０では、プラテンガラス９上の定型原稿６１は、横置きのＡ５原稿と判定され、仮に、該原稿長さ検出センサ３７がＯＮ状態となっていれば、その定型原稿６２は、縦置きのＡ４原稿と判定される。
【００２７】
以上のようにして、原稿幅検出センサ３４・３５・３６による主走査方向の検出結果と、原稿長さ検出センサ３７による副走査方向の検出結果とに基づき、画像読取部３の読取部制御回路３０で、原稿のサイズが判定されている。
具体的には、読取部制御回路３０は、下記に示す、原稿幅センサ３４・３５・３６のＯＮ／ＯＦＦと、原稿長さ検出センサ３７のＯＮ／ＯＦＦとの組み合わせから成るテーブルを備えており、該テーブルに基づき、プラテンガラス９上に載置された原稿のサイズが判定されている。
【００２８】
【表１】
0003724453.tif 000002
【００２９】
なお、本実施例では、上記テーブルに基づく判定は、プラテンガラス９上に、Ａ５サイズ以上、Ｂ４サイズ以下の定型サイズの原稿が、その一頂点を原稿位置合わせ基準位置０に合わせて、該プラテンガラス９上からはみ出すことなくセットされている場合についてのみ、正しく適用される。
【００３０】
ところで、原稿位置合わせ基準位置０に原稿の一頂点を合わせて、プラテンガラス９上にセットする場合、上記テーブルの左端に示す＊印を付したセンサ３４・３５・３６・３７のＯＮ／ＯＦＦパターンは理論上ありえないが、実際には、センサ３４・３５・３６・３７の誤作動で、原稿を検出し損ねている場合もある。
【００３１】
従来、この場合、操作部２の表示部２０に、原稿サイズの入力を促すメッセージが表示されて、ユーザーは手動操作で原稿サイズを選択設定しなければならなかったが、本発明では、読取部制御回路３０で、明らかに原稿を検出し得る状況にあるにも関わらず、ＯＮとなっている原稿幅検出センサに対して原稿位置合わせ基準位置０側の原稿幅検出センサがＯＦＦとなっている場合に、該ＯＦＦの原稿検出センサはＯＮと仮定して、プラテンガラス９上に載置されている原稿のサイズを推定し、原稿サイズの選択の手間を省くようにしたところに特徴がある。
【００３２】
このような構成で、原稿幅検出センサ３４・３５・３６と原稿長さ検出センサ３７とによる検出結果から、理論上、原稿サイズを特定できない場合についても、読取部制御回路３０は、上記テーブルの＊印を付したセンサ３４・３５・３６・３７のＯＮ／ＯＦＦパターンに基づき、プラテンガラス９上に載置されている可能性の高い原稿サイズを推定する推定手段を備えている。推定された原稿サイズは、確認メッセージとともに、操作部２の表示部２０に表示されて、ユーザーに報知される。
なお、ここでは報知手段として、原稿サイズとその確認メッセージとを表示部２０に表示する構成としているが、音声で報知してもよく、その構成は特に限定はしないものとする。
【００３３】
次に、原稿サイズの決定までの流れを、図５に示すフローチャートを参照しながら説明する。
まず、ユーザーが定型サイズの原稿６０をプラテンガラス９上にセットして、プラテンカバー７を閉じると（ステップＳ１）、原稿幅検出センサ３４・３５・３６により主走査方向の検出が行われるとももに（ステップＳ２）、原稿長さ検出センサ３７によって副走査方向の検出が行われる（ステップＳ３）。この検出の開始は、例えば、プラテンカバー７の回動軸に回動量を検出するエンコーダが設けられて、プラテンカバー７が閉鎖側に所定角度以上回動したときに行われる。
【００３４】
そして、該原稿幅検出センサ３４・３５・３６による検出結果と、原稿長さ検出センサ３７による検出結果とに基づき、読取部制御回路３０で、プラテンガラス９上に載置された原稿サイズが判定される（ステップＳ４）。
このときの検出結果が上記テーブルの＊印を付したセンサ３４・３５・３６・３７のＯＮ／ＯＦＦパターン以外の場合は（ステップＳ５）、自動的に原稿サイズが決定されて（ステップＳ６）、ここで、操作部２のスタートキー２１を押すと（ステップＳ７）、原稿画像の読み取りが開始される（ステップＳ８）。
【００３５】
一方、原稿幅検出センサ３４・３５・３６と、原稿長さ検出センサ３７とによる検出結果が上記テーブルの＊印を付したセンサ３４・３５・３６・３７のＯＮ／ＯＦＦパターンの場合（ステップＳ５）、すなわち、原稿幅検出センサ３５又は３６が明らかに誤作動している場合は、操作部２の表示部２０に、プラテンガラス９上に載置されている可能性の高い原稿サイズが表示されて、ユーザーに確認が促される（ステップＳ９）。なお、このときスタートキー２１が押されても、原稿画像の読み取りは開始されない。
【００３６】
この確認表示に対して、ユーザーは表示部２０手前の表示対応キー２２を操作し、正しければ（ステップＳ１０）、「はい」を選択する。これにより、原稿サイズが決定され（ステップＳ６）、ここで、スタートキー２１を押すと（ステップＳ７）、原稿画像の読み取りが開始される（ステップＳ８）。
【００３７】
一方、ＯＮとなっている原稿幅検出センサに対して、反原稿位置合わせ基準位置０側の、原稿を検出し得る状況にある原稿幅検出センサがＯＦＦとなっている場合や、原稿長さセンサ３７が誤作動している場合等、前記確認表示が正しくない場合には（ステップＳ１０）、「いいえ」を選択し、これにより表示部２０の画面は原稿サイズ選択画面に切り替わる。そして、ユーザーは表示対応キー２２を操作して、実際にプラテンガラス９上にセットされている原稿サイズを選択し（ステップＳ１１）、こうして原稿サイズが決定され（ステップＳ６）、この後、スタートキー２１を押すと（ステップＳ７）、原稿画像の読み取りが開始される（ステップＳ８）。
【００３８】
【発明の効果】
本発明は、以上のように構成したので、次に示すような効果を奏する。
まず、請求項１のように構成するので、原稿サイズを特定できない場合に、ユーザーが原稿サイズを手動入力する手間が省かれ、原稿サイズ決定操作が簡単になって、操作性が向上する。
【００３９】
また、請求項２のように、前記推定手段は、前記原稿幅検出センサのＯＮ／ＯＦＦと、前記原稿長さ検出センサのＯＮ／ＯＦＦとの組み合わせから成るテーブルを備え、ＯＮのセンサに対して原稿位置合わせ基準位置側の、ＯＦＦのセンサについてはＯＮと仮定して、原稿サイズを推定することで、ユーザーが原稿サイズを手動入力する手間が省かれ、原稿サイズ決定操作が簡単になって、操作性が向上する。
【図面の簡単な説明】
【図１】複合機１の斜視図。
【図２】複合機１の制御構成を示すブロック図。
【図３】プラテンガラス９及びその下方のセンサ３４・３５・３６・３７の配置位置を説明する図。
【図４】プラテンガラス９上に定型原稿６１を載置した状態を示す図。
【図５】原稿サイズの決定までの流れを説明するフローチャート。
【符号の説明】
１    複合機
２    操作部
３    画像読取部
６    原稿載置台
９    プラテンガラス
２０    表示部
２１    スタートキー
２２    表示対応キー
２３    表示対応キー
２４    表示対応キー
３０    読取部制御回路
３４    原稿幅検出センサ
３５    原稿幅検出センサ
３６    原稿幅検出センサ
３７    原稿長さ検出センサ
６０    原稿
６１    原稿
６２    原稿
【図１】
0003724453.tif 000003
【図２】
0003724453.tif 000004
【図３】
0003724453.tif 000005
【図４】
0003724453.tif 000006
【図５】
0003724453.tif 000007